(57)【特許請求の範囲】
【請求項１】
浴室および洗面室の完成後に、前記浴室内に設けられた浴槽の残り湯を洗濯機に給水する給水ホースの収納構造を取り付ける、給水ホースの収納構造の取付方法であって、
前記浴室は間仕切で区切られており、前記洗面室は前記洗濯機が配置される部屋であり、
前記浴室の側壁面に第１の開口部を設ける工程と、
前記洗面室の床面に第２の開口部を設ける工程と、
前記洗面室とさや管とを接続する工程と、
前記給水ホースの収納構造と前記さや管とを接続する工程と、
前記第１の開口部に前記給水ホースの収納構造を取り付ける工程と、
前記洗面室に給水ホース取出口を設ける工程とを備え、
前記洗面室とさや管とを接続する工程は、
前記洗面室の床下に前記さや管を通す工程と、
前記浴室の側壁面と、前記浴室と前記洗面室とを仕切る間仕切との間に前記さや管を通す工程と、
前記給水ホース取出口に前記さや管を取り付ける工程とを含み、
前記浴室の側壁面に前記第１の開口部を設ける工程、前記洗面室の床面に前記第２の開口部を設ける工程、前記洗面室と前記さや管とを接続する工程、前記給水ホースの収納構造と前記さや管とを接続する工程、前記第１の開口部に前記給水ホースの収納構造を取り付ける工程、および前記洗面室に前記給水ホース取出口を設ける工程は、前記間仕切を貫通する開口を設けることなく行われる、給水ホースの収納構造の取付方法。
【請求項２】
前記洗面室と前記さや管とを接続する工程は、前記浴室の床面の下に前記さや管を通す工程をさらに含む、請求項１に記載の給水ホースの収納構造の取付方法。
【請求項３】
前記第１の開口部は、完成後の前記浴室の点検口として使用可能であり、前記第２の開口部は、完成後の前記洗面室の点検口として使用可能である、請求項１または２に記載の給水ホースの収納構造の取付方法。
【請求項４】
前記給水ホースの収納構造は、前記さや管が接続される筐体を備え、
前記筐体は、
前記給水ホースの収納構造が前記浴室の側壁面に設けられた場合に、前記浴室に面する筐体開口部と、
前記筐体開口部と対向する底面と、
前記底面を取り囲む側面とを含み、
前記給水ホースの収納構造は、前記側面から突出した突出部をさらに備えた、請求項１〜３のいずれかに記載の給水ホースの収納構造の取付方法。
【請求項５】
前記給水ホースの収納構造が前記浴室の側壁面に設けられた場合に、
前記側面は、
水平方向で互いに対向する第１および第２の側面と、
前記第１の側面の上端部と前記第２の側面の上端部との間に設けられた上部側面と、
前記第１の側面の下端部と前記第２の側面の下端部との間に設けられた下部側面とを含む、請求項４に記載の給水ホースの収納構造の取付方法。
【請求項６】
前記突出部は、前記第１の側面、前記第２の側面、および前記上部側面のうち少なくともいずれか１つの面から突出する、請求項５に記載の給水ホースの収納構造の取付方法。
【請求項７】
前記突出部は複数であり、複数の前記突出部の各々は、前記第１の側面、前記第２の側面、前記上部側面、および前記下部側面の各々から突出する、請求項５または６に記載の給水ホースの収納構造の取付方法。
【請求項８】
前記突出部は、前記筐体開口部の縁に沿って前記第１の側面、前記第２の側面、および前記上部側面にわたって連続的に設けられている、請求項５または６に記載の給水ホースの収納構造の取付方法。
【請求項９】
前記筐体開口部の縁は一の平面内に存在し、
前記筐体開口部の縁が含まれる平面と直交する平面で切った断面で見た場合に、前記側面および前記突出部は凹形状を有する、請求項４〜８のいずれかに記載の給水ホースの収納構造の取付方法。
【請求項１０】
前記筐体は、
前記給水ホースの収納構造が前記浴室の側壁面に設けられた場合に、前記浴室に面する他の筐体開口部と、
前記他の筐体開口部と対向する他の底面と、
前記他の筐体開口部の縁を規定し、前記他の底面を取り囲む他の側面とをさらに含む、請求項４〜９のいずれかに記載の給水ホースの収納構造の取付方法。
【請求項１１】
前記給水ホースの収納構造は、前記筐体開口部を覆った状態と、前記筐体開口部を解放した状態とで移動可能な扉をさらに備えた、請求項４〜１０のいずれかに記載の給水ホースの収納構造の取付方法。
【発明の詳細な説明】
【技術分野】
【０００１】
本発明は、給水ホースの収納構造の取付方法に関し、より特定的には、浴槽の残り湯を給水するための給水ホースの収納構造の取付方法に関する。
【背景技術】
【０００２】
水資源を節約するために、浴槽の残り湯を洗濯に再利用することが広く行われている。近年の洗濯機は、給水ポンプを搭載している。洗濯機は、給水ポンプの動力によって、給水ホースを通じて浴槽の残り湯を洗濯機に給水する。
【０００３】
残り湯の給水時には、給水ホースは、その根元が洗濯機の給水口に取り付けられ、その先端が浴槽の残り湯の中にセットされる。洗濯機は、通常、浴室とは別の部屋に設けられるので、給水ホースは、洗濯機のある部屋から浴室の出入口を通じて浴室内に導入される。このため、給水ホースの使用時には、浴室の出入口のドアを閉めることができず、残り湯の湯気が浴室外へ漏れていた。
【０００４】
給水ホースの収納時には、給水ホースは、丸めた状態で洗濯機の付近などに収納される。給水ホースの使用後には、給水ホースの外部は残り湯で濡れており、給水ホースの内部にも残り湯が残留している。このため、使用者は収納前に浴室内において給水ホースの水切りを行う必要があり、給水ホースの取り扱いが煩雑であった。
【０００５】
さらに、給水ホースを使用する度に、使用者は浴室内および浴室外の両方において、給水ホースをセットする作業および給水ホースを収納する作業を行う必要があり、給水ホースの取り扱いが煩雑であった。
【０００６】
そこで、給水ホースを浴室内に収納する技術が提案されている。下記特許文献１には、給水ホースを収納する収納庫を浴室と洗面室との間仕切に設けた構造が開示されている。この構造では、間仕切には開口が設けられており、間仕切の開口には収納庫および化粧板が設けられている。収納庫は浴室側に設けられており、化粧板は洗面室側に設けられている。収納庫の浴室側の面は開口されており、収納庫の開口面には収納庫扉が設けられている。収納庫に底面には給水ホースを固定する受け金具が取り付けられている。化粧板および収納庫には管接続具が挿通されている。管接続具の一端は、給水ホースの管接続具と接続される。管接続具の他端は、洗面室に配置された洗濯給水管を通じて洗濯機と接続される。
【先行技術文献】
【特許文献】
【０００７】
【特許文献１】特開２００１−６５０８６号公報
【発明の概要】
【発明が解決しようとする課題】
【０００８】
特許文献１の技術では、浴室および洗面室の完成後に（後付けで）収納庫を設けようとすると、間仕切に対して浴室と洗面室とを貫通する開口を設ける工事が必要であった。また、管接続具と洗濯給水管とを接続する管路を洗面室外に配置しようとすると、管路を配置するための煩雑な工事が必要であった。このため、収納庫を後付けで設置する際には大規模な工事が必要であった。
【０００９】
また、特許文献１の技術では、収納庫に底面に取り付けられた受け金具に掛けることで給水ホースが収納されていた。このため、収納庫内で給水ホースが絡まりやすく、給水ホースの使用時には給水ホースの絡まりを解く作業が必要であった。また、給水ホースの収納時に収納庫内に無駄なスペースが生じやすく、収納庫の大型化を招いていた。
【００１０】
本発明は、上記課題を解決するためのものであり、その目的は、後付けが容易である給水ホースの収納構造の取付方法を提供することである。
【課題を解決するための手段】
【００１３】
本発明の一の局面に従う給水ホースの収納構造の取付方法は、浴室および洗面室の完成後に、浴室内に設けられた浴槽の残り湯を洗濯機に給水する給水ホースの収納構造を取り付ける、給水ホースの収納構造の取付方法であって、浴室は間仕切で区切られており、洗面室は洗濯機が配置される部屋であり、浴室の側壁面に第１の開口部を設ける工程と、洗面室の床面に第２の開口部を設ける工程と、洗面室とさや管とを接続する工程と、給水ホースの収納構造とさや管とを接続する工程と、第１の開口部に給水ホースの収納構造を取り付ける工程と、洗面室に給水ホース取出口を設ける工程とを備え、洗面室とさや管とを接続する工程は、洗面室の床下にさや管を通す工程と、浴室の側壁面と、浴室と洗面室とを仕切る間仕切との間にさや管を通す工程と、給水ホース取出口にさや管を取り付ける工程とを含み、浴室の側壁面に第１の開口部を設ける工程、洗面室の床面に第２の開口部を設ける工程、洗面室とさや管とを接続する工程、給水ホースの収納構造とさや管とを接続する工程、第１の開口部に給水ホースの収納構造を取り付ける工程、および洗面室に給水ホース取出口を設ける工程は、間仕切を貫通する開口を設けることなく行われる。
【００１４】
上記取付方法において好ましくは、洗面室とさや管とを接続する工程は、浴室の床面の下にさや管を通す工程をさらに含む。
【００１５】
上記取付方法において好ましくは、第１の開口部は、完成後の前記浴室の点検口として使用可能であり、第２の開口部は、完成後の洗面室の点検口として使用可能である。
【００１７】
上記取付方法において好ましくは、給水ホースの収納構造は、さや管が接続される筐体を備え、筐体は、給水ホースの収納構造が浴室の側壁面に設けられた場合に、浴室に面する筐体開口部と、筐体開口部と対向する底面と、底面を取り囲む側面とを含み、給水ホースの収納構造は、側面から突出した突出部をさらに備える。
【００１８】
上記取付方法において好ましくは、給水ホースの収納構造が浴室の側壁面に設けられた場合に、側面は、水平方向で互いに対向する第１および第２の側面と、第１の側面の上端部と第２の側面の上端部との間に設けられた上部側面と、第１の側面の下端部と第２の側面の下端部との間に設けられた下部側面とを含む。
【００１９】
上記取付方法において好ましくは、突出部は、第１の側面、第２の側面、および上部側面のうち少なくともいずれか１つの面から突出する。
【００２０】
上記取付方法において好ましくは、突出部は複数であり、複数の突出部の各々は、第１の側面、第２の側面、上部側面、および下部側面の各々から突出する。
【００２１】
上記取付方法において好ましくは、突出部は、筐体開口部の縁に沿って第１の側面、第２の側面、および上部側面にわたって連続的に設けられている。
【００２２】
上記取付方法において好ましくは、筐体開口部の縁は一の平面内に存在し、筐体開口部の縁が含まれる平面と直交する平面で切った断面で見た場合に、側面および突出部は凹形状を有する。
【００２３】
上記取付方法において好ましくは、筐体は、給水ホースの収納構造が浴室の側壁面に設けられた場合に、浴室に面する他の筐体開口部と、他の筐体開口部と対向する他の底面と、他の筐体開口部の縁を規定し、他の底面を取り囲む他の側面とをさらに含む。
【００２４】
上記取付方法において好ましくは、給水ホースの収納構造は、筐体開口部を覆った状態と、筐体開口部を解放した状態とで移動可能な扉をさらに備える。
【発明の効果】
【００２５】
本発明によれば、後付けが容易である給水ホースの収納構造の取付方法を提供することができる。
【図面の簡単な説明】
【００２６】
【図１】本発明の一実施の形態における給水ホース１の設置経路および給水ホース１の使用時の状態を示す断面図である。
【図２】本発明の一実施の形態における給水ホース１の収納時の状態を示す図である。
【図３】本発明の一実施の形態においてホース収納ボックス４を後付けする場合に作業者が行う作業工程を示す図である。
【図４】本発明の一実施の形態におけるホース収納ボックス４の構成の第１の例を示す図である。
【図５】本発明の一実施の形態におけるホース収納ボックス４の構成の第２の例を示す図である。
【図６】本発明の一実施の形態におけるホース収納ボックス４の構成の第３の例を示す図である。
【図７】本発明の一実施の形態におけるホース収納ボックス４の構成の第４の例を示す図である。
【図８】本発明の一実施の形態におけるホース収納ボックス４の構成の第５の例および給水ホース１の収納時の状態を示す図である。
【図９】本発明の一実施の形態におけるホース収納ボックス４の構成の第５の例および給水ホース１の使用時の状態を示す図である。
【発明を実施するための形態】
【００２７】
以下、本発明の一実施の形態について、図面に基づいて説明する。
【００２８】
［給水ホースの設置経路］
【００２９】
図１は、本発明の一実施の形態における給水ホース１の設置経路および給水ホース１の使用時の状態を示す断面図である。
【００３０】
図１を参照して、住宅には、浴室１０と洗面室（脱衣室）１１とが互いに隣接して設けられている。浴室１０は図１中左側に設けられており、洗面室１１は図１中右側に設けられている。浴室１０と洗面室１１とは間仕切１３によって隔たれている。間仕切１３は浴室１０を区切っている。間仕切１３は、浴室出入口（図示無し）の部分が途切れており、浴室出入口を通じて、人は浴室１０と洗面室１１との間を移動可能である。
【００３１】
浴室１０内にはユニットバス２０が設置されている。ユニットバス２０は、浴槽３と、４つの浴室壁面１２と、浴室床面１５と、天井（図示無し）とを主に備えている。４つの浴室壁面１２は、浴室１０内の側面を覆っている。４つの浴室壁面１２の各々と間仕切１３との間には空間（隙間）が存在している。浴槽３は浴室床面１５上に設けられている。
【００３２】
以降の説明において、浴室１０内とは、ユニットバス２０の内部を指すものとする。浴室壁面１２と間仕切１３との間の空間や浴室床面１５の下の空間などは、浴室１０内には含まれないものとする。
【００３３】
図１中奥側の浴室壁面１２ａ（浴室の側壁面の一例）には、開口部１６（第１の開口部）が設けられている。開口部１６は、浴室壁面１２ａを貫通しており、間仕切１３には達していない。開口部１６には、ホース収納ボックス４（給水ホースの収納構造の一例）が嵌め込まれている。ホース収納ボックス４は開口部１６に固定されている。ホース収納ボックス４は、給水ホース１を収納するためのものである。ホース収納ボックス４は、浴室１０に面した筐体開口部１８を有する筐体４０を含んでおり、筐体開口部１８には扉５が開閉自在に設けられている。
【００３４】
なお、ホース収納ボックス４が設けられる位置は任意であり、図１に示すように浴槽３開口面付近の浴室壁面１２の位置の他、浴槽３と浴室壁面１２との間の位置（図１中点線Ｍで示す位置）などであってもよい。ホース収納ボックス４の筐体４０は、扉５が浴室壁面１２と同一平面を構成するように、筐体開口部１８内に完全に埋め込まれていてもよいし、その一部が浴室１０内に露出していてもよい。
【００３５】
洗面室１１内には給水ポンプを搭載した洗濯機９が設置されている。洗濯機９の上面には給水口（図示無し）が設けられている。洗面室１１の床面１１ａには、給水ホース取出口７および床点検口１４（第２の開口部の一例）が設けられている。給水ホース取出口７および床点検口１４の各々は、洗面室１１の床面１１ａを貫通している。給水ホース取出口７の下部（床下に存在する部分）は、さや管６を接続可能になっている。床点検口１４には蓋１４ａが設けられている。
【００３６】
なお、給水ホース取出口７および床点検口１４の各々が設けられる位置は任意であり、洗面室１１の床面１１ａの他、洗面室１１の側壁面などであってもよい。また、給水ホース取出口７は床点検口１４の蓋１４ａに設けられてもよい。
【００３７】
給水ホース取出口７の下部にはさや管６が取り付けられている。さや管６は、洗面室１１の床面１１ａの下と、浴室床面１５の下と、浴室壁面１２ａと間仕切１３との間の空間とを経由して、ホース収納ボックス４の連結部１７に接続されている。
【００３８】
洗濯機９には給水ホース１が接続されている。給水ホース１は、浴槽３の残り湯を、吸込口２を通じて洗濯機９に給水するものである。洗濯機９の上面には給水口（図示無し）が設けられており、給水ホース１の根元は、給水継ぎ手８によって洗濯機９の給水口に取り付けられている。給水ホース１は、洗面室１１内から給水ホース取出口７に挿入されている。給水ホース取出口７に挿入された給水ホース１は、さや管６内を通ってホース収納ボックス４へ導入されている。給水ホース１の先端には吸込口２が設けられている。吸込口２の内部にはフィルターなどが収納されている。
【００３９】
なお、開口部１６および床点検口１４の各々は、それぞれ浴室１０の点検口および洗面室１１の点検口として使用することも可能である。開口部１６、床点検口１４、および給水ホース取出口７の各々の形状は任意であり、長方形状、正方形状、円形状、または楕円形状などであってもよい。
【００４０】
給水ホース１の使用時には、ホース収納ボックス４の扉５が開かれ、吸込口２がホース収納ボックス４の筐体４０から取り出され、浴槽３の残り湯の中にセットされる。給水ホース１における連結部１７の位置よりも先端側の部分は、吸込口２とともにホース収納ボックス４の外部に引き出される。
【００４１】
さや管６内に存在する給水ホース１は、さや管６によってその移動が制限される。したがって、給水ホース１の収納時にさや管６内に存在している給水ホース１の部分は、給水ホース１の使用時においても浴室１０側に引っ張られることはなく、常にさや管６内に存在している。
【００４２】
図２は、本発明の一実施の形態における給水ホース１の収納時の状態を示す図である。
【００４３】
図２を参照して、給水ホース１の収納時には、給水ホース１および吸込口２は、給水ホース１が丸められた状態でホース収納ボックス４の筐体４０内に収納される。なお、吸込口２と給水ホース１とは、たとえばねじ込み式にて着脱を行うことができる。給水ホース１は、切断することにより長さの調節が可能である。給水ホース１の長さを調節する際には、給水ホース１の根元が洗濯機９に接続され、洗濯機９からさや管６およびホース収納ボックス４を経由して給水ホース１が浴室１０内に導入される。この状態で吸込口２の位置が浴槽３の残り湯の中にセット可能な位置となるように、余分な給水ホース１は切断される。
【００４４】
［ホース収納ボックスの設置方法］
【００４５】
続いて、本実施の形態においてホース収納ボックス４を後付けする場合の、ホース収納ボックス４の設置方法について説明する。なお、ホース収納ボックス４の後付けとは、浴室１０および洗面室１１の完成後にホース収納ボックス４を設置することを意味している。
【００４６】
図３は、本発明の一実施の形態においてホース収納ボックス４を後付けする場合に作業者が行う作業工程を示す図である。
【００４７】
図１および図３を参照して、作業者は、浴室壁面１２ａに開口部１６を設ける。作業者は、開口部１６を通じて、浴室壁面１２と間仕切１３との間でさや管６を引き込むためのスペースを確認し、必要に応じて障害物を除去する（ステップＳ１）。次に作業者は、洗面室１１の床面１１ａに床点検口１４および給水ホース取出口７を設ける。作業者は、床点検口１４を通じて、床面１１ａの下でさや管６を引き込むためのスペースを確認し、必要に応じて障害物を除去する（ステップＳ３）。次に作業者は、給水ホース取出口７に（浴室１１に）さや管６を接続し、洗面室１１の床面１１ａの下、および浴室壁面１２と間仕切１３との間にさや管６を通す（敷設する）（ステップＳ５）。次に作業者は、ホース収納ボックス４の連結部１７にさや管６を接続し（ステップＳ７）、ホース収納ボックス４を開口部１６に取り付ける（ステップＳ９）。以上により、ホース収納ボックス４の設置が完了する。
【００４８】
なお、図３に示す各工程の実施順序は適宜変更することが可能である。たとえば、ホース収納ボックス４にさや管６を接続し、ホース収納ボックス４を開口部１６に取り付けた後で、給水ホース取出口７にさや管６を接続してもよい。
【００４９】
［ホース収納ボックスの構造］
【００５０】
続いて、本実施の形態におけるホース収納ボックス４の構成の第１〜第５の例について説明する。
【００５１】
図４は、本発明の一実施の形態におけるホース収納ボックス４の構成の第１の例を示す図である。（ａ）は平面図であり、（ｂ）は左側面図であり、（ｃ）は正面図であり、（ｄ）は右側面図である。なお以降の図４〜図９では、ホース収納ボックス４が浴室壁面１２に設けられた状態を示している。また図４〜図９では、必要に応じて、実際には見えていない一部の構成（側面４２や突出部４ａなど）や、ホース収納ボックス４が固定される浴室壁面１２が示されている。図４〜図７の各々において、上下方向が鉛直方向、左右方向が水平方向である。
【００５２】
図４を参照して、第１の例におけるホース収納ボックス４は、筐体４０と、複数の突出部４ａと、扉５とを含んでいる。筐体４０は、直方体状の形状を有しており、正面から見た場合に矩形状の形状を有している。筐体４０は、筐体開口部１８と、底面４１と、側面４２とを含んでいる。筐体開口部１８は、ホース収納ボックス４が浴室壁面１２に設けられた場合に、浴室１０に面している。底面４１は、ホース収納ボックス４の背面側の面を構成しており、筐体開口部１８と対向している。側面４２は、浴室壁面１２に対して固定される部分である。側面４２は、筐体開口部１８の縁を規定しており、底面４１を取り囲んでいる。側面４２は、左側面４２ａと、右側面４２ｂと、上部側面４２ｃと、下部側面４２ｄとを含んでいる。左側面４２ａと右側面４２ｂとは、水平方向で互いに対向している。上部側面４２ｃは、左側面４２ａの上端部と右側面４２ｂの上端部との間に設けられている。下部側面４２ｄは、左側面４２ａの下端部と右側面４２ｂの下端部との間に設けられている。上部側面４２ｃと下部側面４２ｄとは、鉛直方向で互いに対向している。下部側面４２ｄの図４（ｃ）中右側には、さや管６を接続するための連結部１７が設けられている。給水ホース１は、さや管６および連結部１７を通って筐体４０内に導入される。
【００５３】
なお、さや管６を接続する位置（連結部１７の位置）は任意であり、図４に示すように下部側面４２ｄである場合の他、左側面４２ａ、右側面４２ｂ、または上部側面４２ｃなどであってもよい。また複数の連結部１７が設けられ、ホース収納ボックス４の設置時に適切な連結部１７にさや管６が接続されてもよい。給水ホース１は、移動を防ぐために連結部１７付近においてクリップなどで固定されてもよい。
【００５４】
複数の突出部４ａの各々は、正面から見た場合に半円状の形状を有しており、側面４２から突出している。左側面４２ａおよび右側面４２ｂにはそれぞれ１個の突出部４ａが設けられており、上部側面４２ｃおよび下部側面４２ｄにはそれぞれ２個の突出部４ａが設けられている。複数の突出部４ａの各々は、底面４１から所定の間隔を隔てた位置に設けられている。複数の突出部４ａの各々と底面４１との距離は、収納される給水ホース１の長さや厚みを考慮して決められる。複数の突出部４ａの各々は、突出部４ａが設けられた側面と対向する側面に向かって（たとえば、左側面４２ａに設けられた突出部４ａであれば、右側面４２ｂに向かって）突出している。本例では、複数の突出部４ａの各々は側面４２における前端部（側面４２における扉５に最も近い部分）に設けられている。このため、複数の突出部４ａは、側面４２とともに筐体開口部１８の縁を規定している。筐体開口部１８の縁は、側面４２によってのみ規定されてもよい。
【００５５】
なお、突出部４ａは、少なくとも側面４２から突出していればよく、その数および形状は任意である。突出部４ａは、左側面４２ａ、右側面４２ｂ、上部側面４２ｃ、および下部側面４２ｄのうち少なくともいずれか１つの面から突出するものであってもよい。また突出部４ａは、左側面４２ａ、右側面４２ｂ、および上部側面４２ｃのうち少なくともいずれか１つの面から突出するものであってもよいし、左側面４２ａ、右側面４２ｂ、および上部側面４２ｃの各々から突出し、下部側面４２ｄには設けられていなくてもよい。
【００５６】
扉５は、正面から見た場合に矩形状を有しており、筐体開口部１８付近に設けられている。扉５は、水平方向に延在する回転軸５ａを中心として回動することにより、閉じた状態（筐体開口部１８を覆った状態）と、開いた状態（筐体開口部１８を解放した状態）との間で移動可能である。扉５の図４（ｃ）中下端部には、手掛り５ｂが設けられている。
【００５７】
なお、閉じた状態の扉５と筐体４０との間に隙間を設けたり、扉５の一部に切欠き部を設けたりしてもよい。これにより、浴室１０の換気扇（図示無し）を運転した場合などに、ホース収納ボックス４の内部に風を送り込むことができ、ホース収納ボックス４の内部の乾燥を促すことができる。
【００５８】
図５は、本発明の一実施の形態におけるホース収納ボックス４の構成の第２の例を示す図である。（ａ）は平面図であり、（ｂ）は左側面図であり、（ｃ）は正面図であり、（ｄ）は右側面図である。
【００５９】
図５を参照して、第２の例におけるホース収納ボックス４は、筐体４０と、突出部４ｂおよび４ｃと、扉５とを含んでいる。筐体４０は、直方体状の形状を有しており、正面から見た場合に正方形状の形状を有している。
【００６０】
突出部４ｂおよび４ｃの各々は、側面４２から突出している。突出部４ｂは、筐体開口部１８の縁に沿って左側面４２ａ、上部側面４２ｃ、および右側面４２ｂにわたって連続的に設けられている。正面から見た場合に、突出部４ｂはＵ字状の形状を有している。下部側面４２ｄには、突出部４ｂとは所定の距離を隔てて突出部４ｃが設けられている。突出部４ｂおよび４ｃの各々と底面４１との距離は、収納される給水ホース１の長さや厚みを考慮して決められる。本例では、突出部４ｂおよび４ｃの各々は側面４２における前端部（側面４２における扉５に最も近い部分）に設けられている。このため、突出部４ｂおよび４ｃは、側面４２とともに筐体開口部１８の縁を規定している。
【００６１】
扉５は、鉛直方向に延在する回転軸５ａを中心として回動することにより、閉じた状態と、開いた状態との間で移動可能である。扉５の図５（ｃ）中右端部には、手掛り５ｂが設けられている。
【００６２】
なお、第２の例におけるホース収納ボックス４の上述以外の構成は、第１の例の構成と同様であるので、同一の部材には同一の符号を付し、その説明は繰り返さない。
【００６３】
図６は、本発明の一実施の形態におけるホース収納ボックス４の構成の第３の例を示す図である。（ａ）は平面図であり、（ｂ）は左側面図であり、（ｃ）は正面図であり、（ｄ）は右側面図である。なお、（ａ）では、（ｃ）中Ｘ−Ｘ線に沿った平面で切った場合の断面における左側面４２ａおよび右側面４２ｂの形状が示されている。（ｂ）では、（ｃ）中Ｙ１−Ｙ１線に沿った平面で切った場合の断面における上部側面４２ｃおよび下部側面４２ｄの形状が示されている。（ｄ）では、（ｃ）中Ｙ２−Ｙ２線に沿った平面で切った場合の断面における上部側面４２ｃおよび下部側面４２ｄの形状が示されている。
【００６４】
図６を参照して、第３の例において、筐体４０は、直方体状の形状を有しており、正面から見た場合に正方形状の形状を有している。左側面４２ａおよび右側面４２ｂの各々は、Ｘ―Ｘ線に沿った平面で切った断面で見た場合に、図６（ａ）に示すように、凹形状を有している。同様に、上部側面４２ｃおよび下部側面４２ｄの図６（ｃ）中左側の部分の各々は、Ｙ１−Ｙ１線に沿った平面で切った断面で見た場合に、図６（ｂ）に示すように、凹形状を有している。言い換えれば、左側面４２ａ、右側面４２ｂ、上部側面４２ｃ、および下部側面４２ｄの図６（ｃ）中左側の部分の各々は、突出部４ｄを含んでいる。突出部４ｄは、筐体開口部１８の縁に沿って右側面４２ｂ、上部側面４２ｃ、左側面４２ａ、および下部側面４２ｄの一部にわたって連続的に設けられている。
【００６５】
一方、下部側面４２ｄの図６（ｃ）中右側の部分は、Ｙ２−Ｙ２線に沿った平面で切った断面で見た場合に、図６（ｄ）に示すように、平板状を有している。言い換えれば、下部側面４２ｄの図６（ｃ）中右側の部分には、突出部４ｄが設けられていない。
【００６６】
上述のＸ―Ｘ線に沿った平面、Ｙ１―Ｙ１線に沿った平面、およびＹ２―Ｙ２線に沿った平面はいずれも、筐体開口部１８の縁が含まれる一の平面ＰＬ（図６（ａ））と直交する平面に相当するものである。
【００６７】
扉５は、鉛直方向に延在する回転軸５ａを中心として回動することにより、閉じた状態と、開いた状態との間で移動可能である。扉５の図６（ｃ）中右端部には、手掛り５ｂが設けられている。
【００６８】
なお、第３の例におけるホース収納ボックス４の上述以外の構成は、第１の例の構成と同様であるので、同一の部材には同一の符号を付し、その説明は繰り返さない。
【００６９】
図７は、本発明の一実施の形態におけるホース収納ボックス４の構成の第４の例を示す図である。（ａ）は平面図であり、（ｂ）は左側面図であり、（ｃ）は正面図であり、（ｄ）は右側面図である。
【００７０】
図７を参照して、第４の例において、筐体４０は、筐体開口部１９（他の筐体開口部の一例）と、底面４３（他の底面の一例）と、側面４４（他の側面の一例）とをさらに含んでいる。筐体開口部１９は、筐体開口部１８の上部に設けられており、ホース収納ボックス４が浴室壁面１２に設けられた場合に、浴室１０に面している。底面４３は、底面４１とともにホース収納ボックス４の背面側の面を構成しており、筐体開口部１９と対向している。側面４４は、筐体開口部１９の縁を規定しており、底面４３を取り囲んでいる。側面４４は、左側面４４ａと、右側面４４ｂと、上部側面４４ｃと、下部側面４４ｄとを含んでいる。左側面４４ａと右側面４４ｂとは、水平方向で互いに対向している。上部側面４４ｃは、左側面４４ａの上端部と右側面４４ｂの上端部との間に設けられている。下部側面４４ｄは、上部側面４２ｃと隣接しており、左側面４４ａの下端部と右側面４４ｂの下端部との間に設けられている。上部側面４４ｃと下部側面４４ｄとは、鉛直方向で互いに対向している。左側面４４ａ、右側面４４ｂ、上部側面４４ｃ、および下部側面４４ｄには、突出部が設けられていない。
【００７１】
ホース収納ボックス４は、底面４１および側面４２で構成される下部空間と、底面４３及び側面４４で構成される上部空間とを有している。下部空間には給水ホース１および吸込口２が収納され、上部空間には清掃用具５０などが収納される。
【００７２】
扉５は、鉛直方向に延在する回転軸５ａを中心として回動することにより、閉じた状態と、開いた状態との間で移動可能である。扉５の図７（ｃ）中右端部には、手掛り５ｂが設けられている。
【００７３】
なお、第４の例におけるホース収納ボックス４の上述以外の構成は、第１の例の構成と同様であるので、同一の部材には同一の符号を付し、その説明は繰り返さない。
【００７４】
図８は、本発明の一実施の形態におけるホース収納ボックス４の構成の第５の例および給水ホース１の収納時の状態を示す図である。（ａ）は平面図であり、（ｂ）は断面図である。
【００７５】
図８を参照して、第５の例のホース収納ボックス４は、浴室壁面１２の側面から突出したカウンター３２と、カウンター３２の下に設けられた筐体３１とを含んでいる。ホース収納ボックス４の内部は、開口部１６と接続されている。開口部１６は、接続部１７を兼ねており、開口部１６にはさや管６が嵌め込まれている。給水ホース１は、開口部１６のさや管６からホース収納ボックス４内に導入されている。
【００７６】
筐体３１の上部には開口部３１ａが形成されている。給水ホース１の収納時には、開口部３１ａは図８（ｂ）に示すようにカウンター３２によって覆われている。
【００７７】
図９は、本発明の一実施の形態におけるホース収納ボックス４の構成の第５の例および給水ホース１の使用時の状態を示す図である。
【００７８】
図９を参照して、給水ホース１の使用時には、筐体３１が開いた状態とされる。つまり、開口部３１ａは図９（ａ）または図９（ｂ）に示すように、カウンター３２によって覆われず、浴室１０内に露出される。給水ホース１および吸込口２は筐体３１から取り出され、浴槽３の残り湯の中にセットされる。
【００７９】
筐体３１は、図９（ａ）に示すように、カウンター３２に対して矢印ＡＲ１で示す方向（カウンター３２の延在方向）に引き出される（スライドする）ことにより、開いた状態とされてもよい。また筐体３１は、図９（ｂ）に示すように、カウンター３２に対して回転軸を中心に矢印ＡＲ２で示す方向に傾斜する（チルトする）ことにより、開いた状態とされてもよい。
【００８０】
なお、第５の例におけるホース収納ボックス４の上述以外の構成は、第１の例の構成と同様であるので、同一の部材には同一の符号を付し、その説明は繰り返さない。
【００８１】
［実施の形態の効果］
【００８２】
上述の実施の形態によれば、作業者は、ホース収納ボックス４を後付けする際に、開口部１６および床点検口１４の各々を通じてさや管６を通すためのスペースを確認することができ、開口部１６および床点検口１４の各々を通じてさや管６を取り扱うことができる。これにより、ホース収納ボックス４と給水ホース取出口７とをさや管６で接続する作業が容易になる。また、ホース収納ボックス４を後付けする際に、間仕切１３を貫通する開口を設ける必要がなくなる。その結果、ホース収納ボックス４の後付けが容易になる。
【００８３】
また、ホース留めとなる突出部がホース収納ボックス４の内側面に設けられているので、給水ホース１の収納時には、ホース収納ボックス４の内部に給水ホース１を這わせるようにして、給水ホース１を丸めた状態で収納することができる。これにより、ホース収納ボックス４内での給水ホース１の絡まりを防ぐことができる。また給水ホース１の取り出し時には、給水ホース１の絡まりを解く作業が不要であり、給水ホース１を容易に取り出すことができる。その結果、給水ホース１の取り扱いを容易にすることができる。
【００８４】
また、給水ホース１の収納時にホース収納ボックス４の内部に無駄なスペースが生じにくいため、小型化を図ることができる。
【００８５】
さらに、さや管６の内部に給水ホース１を通すことにより、給水ホース１を洗浄または交換する際に、給水ホース１を容易に取り出すことができる。また、万が一、給水ホース１が劣化して漏水が起きても、漏水をさや管６内に留めることができる。
【００８６】
［その他］
【００８７】
上述の実施の形態によれば、ユニットバスや在来浴室に対してホース収納ボックス４を後付けで設置することが容易になる。このため、上述の実施の形態は、アパートやマンションなどの集合住宅の他、一戸建て住宅の改修工事として行われることに適している。
【００８８】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８９】
１  給水ホース
２  吸込口
３  浴槽
４  ホース収納ボックス
４ａ，４ｂ，４ｃ，４ｄ  突出部
５  扉
５ａ  扉の回転軸
５ｂ  扉の手掛り
６  さや管
７  給水ホース取出口
８  給水継ぎ手
９  洗濯機
１０  浴室
１１  洗面室
１１ａ  洗面室の床面
１２，１２ａ  浴室壁面
１３  間仕切
１４  床点検口
１４ａ  床点検口の蓋
１５  浴室床面
１６  浴室壁の開口部
１７  連結部
１８，１９  筐体開口部
２０  ユニットバス
３１，４０  筐体
３１ａ  筐体の開口部
３２  カウンター
４１，４３  底面
４２，４４  側面
４２ａ，４４ａ  左側面
４２ｂ，４４ｂ  右側面
４２ｃ，４４ｃ  上部側面
４２ｄ，４４ｄ  下部側面
５０  清掃用具
Ｍ  ホース収納ボックスが設けられる位置
ＰＬ  筐体開口部１８の縁が含まれる平面
【要約】
【課題】後付けが容易であり、給水ホースの取り扱いが容易であり、小型化を図ることのできる給水ホースの収納構造の設置方法および給水ホースの収納構造を提供する。
【解決手段】給水ホースの収納構造としてのホース収納ボックス４の取付方法は、浴室１０の浴室壁面１２ａに開口部１６を設ける工程と、洗面室１１に第２の床点検口１４を設ける工程と、洗面室１１とさや管６とを接続する工程と、ホース収納ボックス４とさや管６とを接続する工程と、開口部１６にホース収納ボックス４を取り付ける工程とを備える。
【選択図】図１【図１】
0005994094.tif 000002
【図２】
0005994094.tif 000003
【図３】
0005994094.tif 000004
【図４】
0005994094.tif 000005
【図５】
0005994094.tif 000006
【図６】
0005994094.tif 000007
【図７】
0005994094.tif 000008
【図８】
0005994094.tif 000009
【図９】
0005994094.tif 000010